(57)【要約】      （修正有）【課題】椅子機能付き買物カートを提供する。【解決手段】買物カートＡは、第一板体、第二板体２０、二つの可動アーム式側板３０、及び底板３５を含む収納筐体１０が備わる。第一板体、第二板体２０、可動アーム式側板３０、及び底板３５は、相互に畳み合って扁平状に圧縮され得る又は筐体１０に広がるように設けられる。買物カートＡは、第一板体に設けられたハンドル１６、第一板体の底端部に設けられた少なくとも二つの車輪体１７、収納筐体１０の底部に伸ばされて設けられた延伸突当て部５０、及び、第一板体の上端部にあり且つ摺動して収納筐体１０の上方を覆うように設けられ且つ組立板６１、組付板６２及び第二回転軸を備える積載用上蓋板が更に備わる。買物カートＡは、品物を収納できる他に、積載用上蓋板は更に、使用者がそこに座ったりそのまま物を置いたりしてもよいという買物カートの付加価値及び使用上の実用性がある。【選択図】図２
0003185465.tif 000002
【実用新案登録請求の範囲】
【請求項１】
収納筐体、ハンドル、少なくともの二つの車輪体、延伸突当て部、積載用上蓋板、及びロック／アンロック装置を含む椅子機能付き買物カートであって、
前記収納筐体は、
縦向きに配置され、前側面、後側面、上端部、及び底端部を備えてなる第一板体と、
前記第一板体の後側面に設けられ、前記第一板体との間隔を開けて対向している第二板体と、
それぞれ、前記第一板体及び前記第二板体の両側縁に設けられ、自由に摺動できるように設けられた二つの可動アーム式側板であって、各可動アーム式側板の真ん中に、該可動アーム式側板を、対向して摺動可能な二つの折り板に仕切るための回転軸が設けられている、二つの可動アーム式側板と、
摺動可能で、前記第一板体の後側面にあり、そして前記底端部に近いところに設けられた底板であって、それにより、前記第一板体、前記第二板体、前記可動アーム式側板、及び前記底板は、相互に畳み合って扁平状に圧縮され得る、又は、前記収納筐体に広がり得るように設けられている、底板と、
を含み、
前記ハンドルは、上向きに伸ばされ、前記第一板体に設けられており、
前記少なくともの二つの車輪体は、前記第一板体の底端部の相対した両側にあり、転がせるように設けられており、
前記延伸突当て部は、前記収納筐体の底部に伸ばされて設けられており、前記延伸突当て部及び前記車輪体が同一水平面に突き当てるように設けられており、
前記積載用上蓋板は、前記第一板体の上端部にあり、摺動して前記収納筐体の上方を覆うように設けられており、それにより、使用者は前記収納筐体に座ることができ、前記積載用上蓋板は、組立板、組付板、及び、前記組立板と前記組付板との間に設けられた第二回転軸を備えてなるものであり、摺動して扁平状に圧縮されることができ、
前記ロック／アンロック装置は、前記積載用上蓋板と前記第二板体の上端部との対応したところに設けられ、ロック部とアンロック操作部とを備えてなり、それにより、前記積載用上蓋板は、前記収納筐体の上方を覆うように設けられているとき、前記ロック部により、第二板体の上端部に組立てて位置決めすることができ、前記アンロック操作部により、再び自由に摺動できるロック解除状態にすることができ、
それによって構成された前記椅子機能付き買物カートは、品物を収納できるほかに、前記積載用上蓋板は更に、使用者がそこに座ったり、そのまま物を置いたりしてもよいという買物カートの付加価値及び使用上の実用性がある、ことを特徴とする椅子機能付き買物カート。
【請求項２】
前記第二板体の内側おける前記底板の後端に対応したところには、凸縁部が設けられ、前記底板が摺動して展開されたとき、下向きに前記凸縁部に位置決められるように設けられており、
前記底板と前記第一板体との連結部位には更に、弾性予圧部品が設けられ、それにより、前記底板は、通常のとき、上向きに摺動して斜め状態にすることができ、圧迫されたとき、下向きに摺動して位置決められ、前記弾性予圧部品の弾力を蓄積できるように設けられている、ことを特徴とする請求項１に記載の椅子機能付き買物カート。
【請求項３】
前記第二板体の底端部には更に、少なくとも一つの車輪体が設けられている、ことを特徴とする請求項２に記載の椅子機能付き買物カート。
【請求項４】
前記車輪体には更に、前記椅子機能付き買物カートが静止しているときに生じる転がりや位置移動を防ぐための制動装置が設けられている、ことを特徴とする請求項３に記載の椅子機能付き買物カート。
【請求項５】
前記ロック／アンロック装置のロック部は、前記第二板体の上端部に設けられた透空槽、前記組付板の底面にある横方向凹槽、及び前記横方向凹槽のスライダーに設けられた弾力部品を備えてなり、
前記スライダーの前、後の両端には、それぞれ、第一斜めガイド面及び第二斜めガイド面を備えてなり、
前記弾力部品は、前記スライダーに対して、後ろ向きの弾力による支持力を生じることができ、前記積載用上蓋板に収納筐体の上方を覆うように設けられたとき、前記スライダーはその弾力で、前記透空槽内に嵌め込んで、前記積載用上蓋板はロック状態になっており、
前記ロック／アンロック装置のアンロック操作部は、前記組付板に設けられ、前記スライダーの第一斜めガイド面に対応した押しボタンであり、それにより、前記アンロック操作部を押すと、前記スライダーを前記透空槽から離させるようにし、前記積載用上蓋板は再び、摺動できるロック解除状態になっており、
前記積載用上蓋板は更に、前記アンロック操作部との間隔を開けて配置された貫通穴があり、使用者が前記積載用上蓋板の摺動を簡単に行えるように設けられている、ことを特徴とする請求項４に記載の椅子機能付き買物カート。
【考案の詳細な説明】
【技術分野】
【０００１】
本考案は、買物カートに関わり、特に、椅子機能付きのオリジナルな買物カート構造形態に関する。
【背景技術】
【０００２】
一般的に、外出して買い物に行ったとき、手提げ袋に品物を入れて、それを手で持ち歩くのが一番よく見られるが、このようなやり方で買い物している場合、手提げ袋をずっと持ち歩かなければならず、あまりにも力がかかり、品物を選ぶときにも不便で、購買欲が下がってしまうという欠点がある。それに鑑みて、解決策として、買い物などで外出するとき、買物カートを利用して行われる者も現れている。
【０００３】
現在、市販されている買物カートは構造設計上、通常は、メインフレーム、メインフレームの底部に設けられたキャスターセット、及びメインフレームの片側に連結される収納部を備えてなり、該収納部は大抵、袋体又はブラスケット体に設けられており、それにより、品物を収納部に入れて、キャスターを転がして運ぶことになっている。しかしながら、それは、力があまりかからず、環境にもやさしいという構造をなしているが、品物の収納のみに使用され、その他の付加機能を有していないことで、人々の使用意欲や購入欲も低いという実用面での欠点がある。
【考案の概要】
【考案が解決しようとする課題】
【０００４】
本考案は、椅子機能付き買物カートを提供することを目的とし、解決しようとする課題は、より理想的で実用性のある新式買物カートを開発することにある。
【課題を解決するための手段】
【０００５】
上述の目的を達成するために、本考案の実施例によれば、椅子機能付き買物カートが提供される。この椅子機能付き買物カートは、収納筐体、ハンドル、少なくともの二つの車輪体、延伸突当て部、積載用上蓋板、及びロック／アンロック装置を含む。
【０００６】
前記収納筐体は、
縦向きに配置され、前側面、後側面、上端部、及び底端部を備えてなる第一板体と、
前記第一板体の後側面に設けられ、前記第一板体との間隔を開けて対向している第二板体と、
それぞれ、前記第一板体及び前記第二板体の両側縁に設けられ、自由に摺動できるように設けられた二つの可動アーム式側板であって、各可動アーム式側板の真ん中に、該可動アーム式側板を、対向して摺動可能な二つの折り板に仕切るための回転軸が設けられている、二つの可動アーム式側板と、
摺動可能で、前記第一板体の後側面にあり、そして前記底端部に近いところに設けられた底板であって、それにより、前記第一板体、前記第二板体、前記可動アーム式側板、及び前記底板は、相互に畳み合って扁平状に縮小され得る又は前記収納筐体に広がり得るように設けられている、底板と、を含み、
前記ハンドルは、上向きに伸ばされ、前記第一板体に設けられており、
前記少なくともの二つの車輪体は、前記第一板体の底端部の相対した両側にあり、転がせるように設けられており、
前記延伸突当て部は、前記収納筐体の底部に伸ばされて設けられており、前記延伸突当て部と前記車輪体が同一水平面に突き当てるように設けられており、
前記積載用上蓋板は、前記第一板体の上端部にあり、摺動して前記収納筐体の上方を覆うように設けられており、それにより、使用者は前記収納筐体に座ることができ、前記積載用上蓋板は、組立板、組付板、及び、組立板と組付板との間に設けられた第二回転軸を備えてなるもので、摺動して扁平状に圧縮されることができ、
前記ロック／アンロック装置は、前記積載用上蓋板と前記第二板体の上端部との対応したところに設けられ、ロック部とアンロック操作部を備えてなり、それにより、積載用上蓋板は、前記収納筐体の上方を覆うように設けられているとき、前記ロック部により、前記第二板体の上端部に組立てて位置決めすることができ、前記アンロック操作部により、再び自由に摺動できるロック解除状態にすることができる。
【０００７】
このオリジナルな構造により、本考案は背景技術に対して、該買物カートは、品物を収納できるほかに、該積載用上蓋板は更に、使用者がそこに座ったり、そのまま物を置いたりしてもよいという買物カートの付加価値及び使用上の実用性、進歩性がある。
【０００８】
その上、該買物カートは、使用されないとき、扁平状に圧縮されることができるので、かかる空間も削減可能で、収納や保管にもよいという実用性、進歩性もある。
【考案の効果】
【０００９】
本考案による効果向上の事実は次の通りである。本考案に掲示された“椅子機能付き買物カート”は、収納筐体、ハンドル、車輪体、延伸突当て部、積載用上蓋板、及びロック／アンロック装置を備えてなるオリジナルな構造形態であり、本考案は「背景技術」に述べてある従来の構造に対して、該買物カートは、品物を収納できるほかに、積載用上蓋板は、耐圧可能な支持部位として、使用者がそこに座ったり、そのまま物を置いたりしてもよいという買物カートの付加価値及び使用上の実用性、進歩性があり、そして、該買物カートは、使用されないとき、扁平状に圧縮されることができるので、かかる空間も削減可能で、収納や保管にもよいという実用性、進歩性もある。
【図面の簡単な説明】
【００１０】
【図１】本考案の好適な実施例の立体図。
【図２】本考案の好適な実施例の局所分解立体図。
【図３】本考案の好適な実施例の平面側視図。
【図４】本考案の積載用上蓋板に使用者が座っているときの使用状態図。
【図５】本考案の買物カートが折り畳まれて圧縮された場合の作動手順図その１。
【図６】本考案の買物カートが折り畳まれて圧縮された場合の作動手順図その２。
【図７】本考案の買物カートが折り畳まれて圧縮されたときの上面図。
【図８】本考案の買物カートが扁平状に圧縮されたときの上面図。
【図９】本考案の積載用上蓋板がロック部により筐体の上方に固定されたときの局所断面図。
【図１０】本考案の積載用上蓋板がアンロック操作部により再び自由に摺動できるロック解除状態になる作動断面図。
【図１１】本考案の底板と第一板体との連結部位に更に弾性予圧部品が設けられた場合の実施例図。
【図１２】本考案の収納筐体の底部に四つの車輪体が設けられた場合の実施例図。
【図１３】図１２の使用状態図。
【考案を実施するための形態】
【００１１】
図１〜図４に示すのは、本考案の椅子機能付き買物カートの好適な実施例であるが、これらの実施例は、説明のみに用いられるもので、実用新案登録請求の際、これらの構造に制限されないものとする。
【００１２】
図示するように、椅子機能付き買物カートＡは、収納筐体１０、ハンドル１６、少なくとも二つの車輪体１７、延伸突当て部５０、積載用上蓋板６０、及びロック／アンロック装置７０を含む。
【００１３】
収納筐体１０は、
縦向きに配置され、前側面１２、後側面１３、上端部１４、及び底端部１５を備えてなる第一板体１１；
第一板体１１の後側面１３に設けられ、第一板体１１との間隔を開けて対向している第二板体２０；
それぞれ、第一板体１１と第二板体２０の両側縁に設けられ、自由に摺動できるように設けられた二つの可動アーム式側板３０であって、各可動アーム式側板３０の真ん中に、可動アーム式側板３０を、対向して摺動可能な二折り板３２に仕切るための回転軸３１が設けられている、二つの可動アーム式側板３０；及び
摺動可能で、第一板体１１の後側面１３にあり、そして底端部１５に近いところに設けられた底板３５であって、それにより、第一板体１１、第二板体２０、可動アーム式側板３０、及び底板３５が相互に畳み合い、扁平状に圧縮され得る（図６）、又は、筐体に広がり得る（図１、図３）ように設けられている底板３５を含む。
【００１４】
二つの車輪体１７は、該第一板体１１の底端部１４の相対した両側にあり、転がせるように設けられており、該車輪体１７は更に、買物カートＡが静止しているときに生じる転がりや位置移動を防ぐための制動装置が設けられており、車輪体の制動装置は従来よく見られ、形態も多く設けられているから（例えば、摩擦による制動、当て止めによる制動など）、ここで、それ以上述べないことにする。
【００１５】
ハンドル１６は、上向きに伸ばされ、該第一板体１１に設けられており、図２、図３に示すように、該ハンドル１６は伸縮可能なキャリーバーに設けられ、使用者はその上端部を引き、その伸縮を制御して、買物カートＡを引き動かすようになっている。
【００１６】
延伸突当て部５０は、収納筐体１０の底部に伸ばされて設けられており、延伸突当て部５０と車輪体１７とが同一水平面に突き当てるように設けられている。
【００１７】
積載用上蓋板６０は、第一板体１１の上端部１４にあり、摺動して収納筐体１０の上方を覆うように設けられており、それにより、使用者は収納筐体１０に座ることができる。該積載用上蓋板６０は、組立板６１、組付板６２、及び、組立板６１と組付板６２との間に設けられた第二回転軸６３を備えてなるもので、摺動して扁平状に圧縮され得る。図２、図３に示すように、該延伸突当て部５０は下向きで、第二板体２０又は可動アーム式側板３０の少なくともどれかの一つの板体に伸ばされてもよく（本例はどれにも延伸突当て部５０が設置されている）、それにより、使用者がハンドル１６を手から離しても、収納筐体１０が斜めにならず、積載用上蓋板６０の水平状態を保たせるようにし、使用者がそこに座ったりして、滑り落ちたりする虞もない（図４）ようにする。
【００１８】
ロック／アンロック装置７０は、積載用上蓋板６０と第二板体２０の上端部との対応したところに設けられ、ロック部７１及びアンロック操作部７６を備えてなる。それにより、積載用上蓋板６０は収納筐体１０の上方を覆うように設けられているとき、ロック部７１により、第二板体２０の上端部に組立てて固定（位置決め）することができ、及び、アンロック操作部７６により、再び自由に摺動できるロック解除状態にすることができる。図２、図９、図１０に示すように、該ロック／アンロック装置７０のロック部７１は、第二板体２０上端部に設けられた透空槽７２、組付板６２の底面にある横方向凹槽７３、及び横方向凹槽７３のスライダー７４に設けられた弾力部品７５を備えている。該スライダー７４の前、後の両端にはそれぞれ、第一斜めガイド面７４１と第二斜めガイド面７４２とを備えている。該弾力部品７５は、スライダー７４に対して、後ろ向きの弾力による支持力を生じることになり、積載用上蓋板６０に収納筐体１０の上方を覆うように設けられたとき、該スライダー７４はその弾力で、該透空槽７２内に嵌め込んで、積載用上蓋板６０がロック状態になっている（図９）。該ロック／アンロック装置７０のアンロック操作部７６は、組付板６２に設けられ、スライダー７４の第一斜めガイド面７４１に対応した押しボタンであり、それにより、図１０に示すように、該アンロック操作部７６を押すと、該第一斜めガイド面７４１に突き当てて、該スライダー７４を前へ移動させ、透空槽７２から離させるようにし、積載用上蓋板６０が再び、摺動できるロック解除状態になっている。該積載用上蓋板６０は更に、アンロック操作部７６との間隔を開けて配置された貫通穴７７（図１）があり、使用者が手でそこへ入り、積載用上蓋板６０の摺動や開けを簡単に行えるように設けられている。
【００１９】
上述した構造、組立設計により、本考案の使用、作動状況について、次のように説明する。
【００２０】
図５に示すように、使用者は買物カートＡを折り畳んで、収納するとき、まず、積載用上蓋板６０を開け（矢印Ｌ１）、それから、収納筐体１０内の品物を取り出した後、そのまま底板３５を上向きに摺動し（矢印Ｌ２）、第一板体１１に畳むようにし、その後、図６に示すように、直接に第二板体２０へ突き当てる（矢印Ｌ３）ように前に移動させ、それと同時に、二つの可動アーム式側板３０の二つの折り板３２を相対して摺動させるように畳み合い（図７に示す通り）、買物カートＡを扁平状に圧縮（図８）させるようにできる。或いは、使用者はまず、積載用上蓋板６０を第二板体２０の上端部に組立てて固定（位置決め）し、それから、該積載用上蓋板６０を上向きに摺動させるように引き上げた（矢印Ｌ４）ことでも、同じく、第二板体２０と二つの可動アーム式側板３０を前へ折り畳み、第一板体１１（図６）に畳むように、買物カートＡを扁平状に圧縮し、かかる空間も節約可能で、収納や保管にもよいというメリットを達成することができる。
【００２１】
該第二板体２０の内側における底板３５の後端に対応したところには、凸縁部２１が設けられる。それにより、底板３５が摺動して展開されたとき、下向きに該凸縁部２１に位置決められるように設けられる（図３のみに示す）。図１１に示すように、該底板３５と第一板体１１との連結部位には更に、弾性予圧部品３６（トルクばねでもよい）が設けられる。それにより、底板３５は通常のとき、上向きに摺動して斜め状態になれるとともに、上からの光線が入り、底板３５の所在位置を識別でき、底板３５を上向きに摺動させるように制御できるというメリットと実用性があり、また、底板３５は圧迫されたとき（例えば、底板３５の上に品物が置かれた場合）、下向きに摺動して位置決められ、弾性予圧部品３６の弾力を蓄積できるように設けられている。
【００２２】
該第二板体２０の底端部には更に、少なくとも一つの車輪体１７が設けられるが、図１２に示すのは、収納筐体１０の底部に、四つの車輪体が設けられた実施例図である。それにより、図１３に示すように、買物カートＡは人を支える機能を有するもので、年配者にとっては、体への負担を軽減させ、より気楽に安定して歩けるものである。
【００２３】
上述した実施例に掲示したのは、本考案を具体的に説明する内容であり、文の中で専門的な用語で説明してきたが、それらを以て、本考案の実用新案登録請求の範囲を制限してはならないとし、この技術分野がよく分かる者は、本考案のコンセプトや考えなどを理解したうえ、その変更や改造などを行って、それと同等な効果を得たとしても、それらの変更や改造などはすべて、後述の実用新案登録請求の範囲に含まれるものとする。
【符号の説明】
【００２４】
Ａ  買物カート
１０  収納筐体
１１  第一板体
１２  前側面
１３  後側面
１４  上端部
１５  底端部
１６  ハンドル
１７  車輪体
２０  第二板体
２１  凸縁部
３０  可動アーム式側板
３１  回転軸
３２  折り板
３５  底板
３６  弾性予圧部品
５０  延伸突当て部
６０  積載用上蓋板
６１  組立板
６２  組付板
６３  第二回転軸
７０  ロック／アンロック装置
７１  ロック部
７２  透空槽
７３  横方向凹槽
７４  スライダー
７４１  第一斜めガイド面
７４２  第二斜めガイド面
７５  弾力部品
７６  アンロック操作部
７７  貫通穴
【図１】
0003185465.tif 000003
【図２】
0003185465.tif 000004
【図３】
0003185465.tif 000005
【図４】
0003185465.tif 000006
【図５】
0003185465.tif 000007
【図６】
0003185465.tif 000008
【図７】
0003185465.tif 000009
【図８】
0003185465.tif 000010
【図９】
0003185465.tif 000011
【図１０】
0003185465.tif 000012
【図１１】
0003185465.tif 000013
【図１２】
0003185465.tif 000014
【図１３】
0003185465.tif 000015